(57)【特許請求の範囲】
【請求項１】
携帯端末装置間で近距離通信技術を用いてデータ交換を行うデータ交換システムであって、
前記携帯端末装置間における前記データのやり取りを交互に行う作業を送信側及び受信側のいずれか一方における１回の操作で行い、
前記携帯端末装置間における前記データのやり取りを行う際に当該データ交換の諾否のリクエストを行うことを特徴とするデータ交換システム。
【請求項２】
前記携帯端末装置間における前記データのやり取りが終了した後に前記送信側及び前記受信側のうちの少なくとも一方からメッセージを送信することを特徴とする請求項１記載のデータ交換システム。
【請求項３】
前記データのやり取りにおいて予め設定された順位に応じて情報の提供度合を可変することを特徴とする請求項１または請求項２記載のデータ交換システム。
【請求項４】
前記携帯端末装置は、前記受信側に対して前記データを送信した後に前記データの送信を要求するリクエストを送信することを特徴とする請求項１から請求項３のいずれか記載のデータ交換システム。
【請求項５】
前記携帯端末装置は、前記送信側からの前記リクエストに対してその諾否を通知することを特徴とする請求項４記載のデータ交換システム。
【請求項６】
前記リクエストに対して承諾が選択された時に相手装置に送信コマンドを送ることを特徴とする請求項５記載のデータ交換システム。
【請求項７】
前記携帯端末装置は、前記受信側の場合に前記リクエストの受信後に送信モードに切替え、前記送信側の場合に前記リクエストの送信後に受信モードに切替えることを特徴とする請求項４から請求項６のいずれか記載のデータ交換システム。
【請求項８】
前記携帯端末装置間において相互にデータ交換モードを設定することで前記携帯端末装置間における前記データのやり取りを交互に行う作業を１回の操作で行うことを特徴とする請求項１から請求項３のいずれか記載のデータ交換システム。
【請求項９】
前記データ交換を行う際に当該データの受信を行う受信モードの項目中に前記データ交換の交換モードの選択項目を含むことを特徴とする請求項１から請求項８のいずれか記載のデータ交換システム。
【請求項１０】
前記データ交換を行う際に当該データの送信を行う送信モードの項目中に前記データ交換の交換モードの選択項目を含むことを特徴とする請求項１から請求項９のいずれか記載のデータ交換システム。
【請求項１１】
前記受信モード及び前記送信モードの選択項目中に前記交換モードを含むことを特徴とする請求項１０記載のデータ交換システム。
【請求項１２】
前記交換モードにおいて前記受信モードの携帯端末装置が前記データの受信後に前記受信モードのまま待機することを特徴とする請求項９から請求項１１のいずれか記載のデータ交換システム。
【請求項１３】
前記受信モードのままの待機時間を設定自在としたことを特徴とする請求項１２記載のデータ交換システム。
【請求項１４】
前記近距離通信技術は、少なくとも赤外線通信とＢｌｕｅｔｏｏｔｈ（登録商標）とを含むことを特徴とする請求項１から請求項１３のいずれか記載のデータ交換システム。
【請求項１５】
請求項１から請求項１４のうちのいずれかに記載された動作を行うことを特徴とする携帯端末装置。
【請求項１６】
携帯端末装置間で近距離通信技術を用いてデータ交換を行うシステムに用いる相互データ交換方法であって、
前記携帯端末装置間における前記データのやり取りを交互に行う作業を送信側及び受信側のいずれか一方における１回の操作で行い、
前記携帯端末装置間における前記データのやり取りを行う際に当該データ交換の諾否のリクエストを行うことを特徴とする相互データ交換方法。
【請求項１７】
前記携帯端末装置間における前記データのやり取りが終了した後に前記送信側及び前記受信側のうちの少なくとも一方からメッセージを送信することを特徴とする請求項１６記載の相互データ交換方法。
【請求項１８】
前記データのやり取りにおいて予め設定された順位に応じて情報の提供度合を可変することを特徴とする請求項１６または請求項１７記載の相互データ交換方法。
【請求項１９】
前記携帯端末装置が、前記受信側に対して前記データを送信した後に前記データの送信を要求するリクエストを送信することを特徴とする請求項１６から請求項１８のいずれか記載の相互データ交換方法。
【請求項２０】
前記携帯端末装置が、前記送信側からの前記リクエストに対してその諾否を通知することを特徴とする請求項１９記載の相互データ交換方法。
【請求項２１】
前記リクエストに対して承諾が選択された時に相手装置に送信コマンドを送ることを特徴とする請求項２０記載の相互データ交換方法。
【請求項２２】
前記携帯端末装置が、前記受信側の場合に前記リクエストの受信後に送信モードに切替え、前記送信側の場合に前記リクエストの送信後に受信モードに切替えることを特徴とする請求項１９から請求項２１のいずれか記載の相互データ交換方法。
【請求項２３】
前記携帯端末装置間において相互にデータ交換モードを設定することで前記携帯端末装置間における前記データのやり取りを交互に行う作業を１回の操作で行うことを特徴とする請求項１６から請求項１８のいずれか記載の相互データ交換方法。
【請求項２４】
前記データ交換を行う際に当該データの受信を行う受信モードの項目中に前記データ交換の交換モードの選択項目を含むことを特徴とする請求項１６から請求項２３のいずれか記載の相互データ交換方法。
【請求項２５】
前記データ交換を行う際に当該データの送信を行う送信モードの項目中に前記データ交換の交換モードの選択項目を含むことを特徴とする請求項１６から請求項２４のいずれか記載の相互データ交換方法。
【請求項２６】
前記受信モード及び前記送信モードの選択項目中に前記交換モードを含むことを特徴とする請求項２５記載の相互データ交換方法。
【請求項２７】
前記交換モードにおいて前記受信モードの携帯端末装置が前記データの受信後に前記受信モードのまま待機することを特徴とする請求項２４から請求項２６のいずれか記載の相互データ交換方法。
【請求項２８】
前記受信モードのままの待機時間を設定自在としたことを特徴とする請求項２７記載の相互データ交換方法。
【請求項２９】
前記近距離通信技術は、少なくとも赤外線通信とＢｌｕｅｔｏｏｔｈ（登録商標）とを含むことを特徴とする請求項１６から請求項２８のいずれか記載の相互データ交換方法。
【発明の詳細な説明】
【技術分野】
【０００１】
本発明はデータ交換システム、携帯端末装置及びそれに用いる相互データ交換方法に関し、特に赤外線通信やＢｌｕｅｔｏｏｔｈ（登録商標）等の近距離通信技術を用いた携帯端末間のデータ交換に関する。
【背景技術】
【０００２】
近年、携帯電話機やＰＤＡ（Ｐｅｒｓｏｎａｌ  Ｄｉｇｉｔａｌ  Ａｓｓｉｓｔａｎｔ）等の携帯端末装置においては、多機能化が図られており、赤外線通信やＢｌｕｅｔｏｏｔｈ（登録商標）等の近距離通信技術を搭載することで、たの携帯端末装置との間でデータ交換が可能となってきている。
【０００３】
上記の携帯端末装置間でのデータ交換としては、例えば、無線通信可能な携帯端末に赤外線通信手段を搭載することで、赤外線通信によるデータ交換を可能とする技術が知られている（例えば、特許文献１，２参照）。
【特許文献１】特開２０００−０３６９８４号公報
【特許文献２】特開２００４−２８９５８４号公報
【発明の開示】
【発明が解決しようとする課題】
【０００４】
上述したデータ交換方法では、携帯端末装置間において赤外線でデータのやり取りをする際に、送信操作と受信操作とを相互に行わなければならず、複数回の作業が必要となる。
【０００５】
例えば、携帯電話機Ａと携帯電話機Ｂとの間での赤外線通信によるデータのやり取りを図６を参照して説明する。図６において、まず、携帯電話機Ａから携帯電話機Ｂにデータを送信する場合には、携帯電話機Ａで送信モードを選択し、携帯電話機Ｂで受信モードを選択して受信待機となる。
【０００６】
この後に、携帯電話機Ａから携帯電話機Ｂへとデータの送信が開始され、携帯電話機Ｂでデータの受信が開始される。携帯電話機Ａでデータ送信が完了し、携帯電話機Ｂでデータ受信が完了すると、そのデータが携帯電話機Ｂに保存される。以上が「操作１」である。
【０００７】
さらに、携帯電話機Ｂから携帯電話機Ａにデータを送信する場合には、携帯電話機Ｂで送信モードを選択し、携帯電話機Ａで受信モードを選択して受信待機となる。
【０００８】
この後に、携帯電話機Ｂから携帯電話機Ａへとデータの送信が開始され、携帯電話機Ａでデータの受信が開始される。携帯電話機Ｂでデータ送信が完了し、携帯電話機Ａでデータ受信が完了すると、そのデータが携帯電話機Ａに保存される。以上が「操作２」である。
【０００９】
このように、データ交換方法では、携帯端末装置間において赤外線でデータのやり取りをする際に、送信操作と受信操作とを相互に行わなければならず、複数回の作業が必要となる。尚、この作業は上記の特許文献１，２に記載の技術でも、上記と同様に行わなければならない。
【００１０】
そこで、本発明の目的は上記の問題点を解消し、赤外線通信やＢｌｕｅｔｏｏｔｈ（登録商標）等の近距離通信技術によるデータ交換におけるデータの送受信を一回の操作で行うことができるデータ交換システム、携帯端末装置及びそれに用いる相互データ交換方法を提供することにある。
【課題を解決するための手段】
【００１１】
本発明によるデータ交換システムは、携帯端末装置間で近距離通信技術を用いてデータ交換を行うデータ交換システムであって、
前記携帯端末装置間における前記データのやり取りを交互に行う作業を送信側及び受信側のいずれか一方における１回の操作で行い、
前記携帯端末装置間における前記データのやり取りを行う際に当該データ交換の諾否のリクエストを行っている。
【００１２】
本発明による携帯端末装置は、上記のデータ交換システムに記載の動作を行うことを特徴とする。
【００１３】
本発明による相互データ交換方法は、携帯端末装置間で近距離通信技術を用いてデータ交換を行うシステムに用いる相互データ交換方法であって、
前記携帯端末装置間における前記データのやり取りを交互に行う作業を送信側及び受信側のいずれか一方における１回の操作で行い、
前記携帯端末装置間における前記データのやり取りを行う際に当該データ交換の諾否のリクエストを行っている。
【発明の効果】
【００１４】
本発明は、上記のような構成及び動作とすることで、赤外線通信やＢｌｕｅｔｏｏｔｈ（登録商標）等の近距離通信技術によるデータ交換におけるデータの送受信を一回の操作で行うことができるという効果が得られる。
【発明を実施するための最良の形態】
【００１５】
次に、本発明の実施の形態について図面を参照して説明する。図１は本発明の実施の形態によるデータ交換システムでの送受信の仕組みを示す図である。図１において、本発明の実施の形態によるデータ交換システムは、携帯電話機Ａ（交換モード選択端末）と携帯電話機Ｂ（受信モード選択端末）とから構成されている。
【００１６】
携帯電話機Ａ（交換モード選択端末）と携帯電話機Ｂ（受信モード選択端末）との間でデータ交換を行う場合、携帯電話機Ａ（交換モード選択端末）は、送信コマンド（ｖＣａｒｄ）を携帯電話機Ｂ（受信モード選択端末）に送ってデータを送信した後に（図１のａ１）、リクエストコマンドを携帯電話機Ｂ（受信モード選択端末）に送って（図１のａ２）、携帯電話機Ｂ（受信モード選択端末）から送信コマンド（ｖＣａｒｄ）を送らせて（図１のａ３）、携帯電話機Ｂ（受信モード選択端末）からのデータを受信する。
【００１７】
図２は本発明の実施の形態による携帯電話機の構成例を示すブロック図である。図２において、携帯電話機１は、制御部［ＣＰＵ（中央処理装置）］１１と、無線通信部１２と、メモリ１３と、赤外線による送信部（Ｔｘ）１４ａと受信部（Ｒｘ）１４ｂとを備えた赤外線通信部１４と、表示部１５と、入力部１６とから構成されている。
【００１８】
制御部１１は、メモリ１３に格納されたプログラムを実行することで、無線通信部１２、メモリ１３、赤外線通信部１４、表示部１５、入力部１６それぞれを制御する。無線通信部１２は、図示せぬ基地局との間で無線通信を実行する。
【００１９】
メモリ１３は、制御部１１が実行するプログラムを格納するとともに、送信するデータや受信したデータを保存する。赤外線通信部１４は、データを送信／受信する際に、リクエストコマンドを送信／受信したり、リクエストコマンドの応答を送信／受信したりする。
【００２０】
表示部１５は、情報（データやコマンド等）を入力したり、送信完了／受信完了等の全ての動作が起こる時に、メッセージ等を表示する。入力部１６は交換（送信）モードや受信モードを選択する時、リクエストコマンドに対する応答を送る時、送信を開始する時、データを保存する時等における指示が入力される。
【００２１】
図３は本発明の実施の形態による送信側の携帯電話機の送受信動作を示すフローチャートであり、図４は本発明の実施の形態による受信側の携帯電話機の送受信動作を示すフローチャートであり、図５は本発明の実施の形態によるデータ交換システムでの送受信の動作を示すシーケンスチャートである。
【００２２】
これら図１〜図５を参照して本発明の実施の形態によるデータ交換システムでの送受信の動作について説明する。以下、携帯電話機Ａが交換モードを選択した端末であり、携帯電話機Ｂが受信モードを選択した端末である場合の動作について説明する。尚、携帯電話機Ａ及び携帯電話機Ｂは図２に示す携帯電話機１と同様の構成とし、図３及び図４に示す処理は制御部１１がメモリ１３に格納されたプログラムを実行することで実現される。
【００２３】
携帯電話機Ａが通常動作モードからデータ交換モードを選択し（図３ステップＳ１，Ｓ２）、携帯電話機Ｂが通常動作モードからデータ受信モードを選択する（図４ステップＳ２１，Ｓ２２）。すると、携帯電話機Ａから携帯電話機Ｂに送信コマンド（ｖＣａｒｄ）が送信され（図１のａ１）、携帯電話機Ａ及び携帯電話機Ｂにてデータ通信が始まる（図３ステップＳ３、図４ステップＳ２３）。
【００２４】
携帯電話機Ａからデータの送信ができ（図３ステップＳ４）、携帯電話機Ｂでデータの受信ができると（図４ステップＳ２４）、携帯電話機Ｂでは、受信モードのまま待機（例えば、受信終了してから３秒待機というように設定する）する（図４ステップＳ２５）。
【００２５】
この後に、携帯電話機Ａは、データ通信が終了すると、データの送信を要求するリクエストコマンドを送信し（図１のａ２）（図３ステップＳ５）、受信モードに切り替わる（図３ステップＳ６，Ｓ７）。
【００２６】
携帯電話機Ｂは、携帯電話機Ａからリクエストコマンドを受信すると（図４ステップＳ２６）、送信モードに切り替わり（図４ステップＳ２７）、データの送信を承認するか否か（ＹｅｓまたはＮｏ）が選択される（図４ステップＳ２８）。
【００２７】
携帯電話機Ｂは、データの送信を承認しない場合（Ｎｏを選択した場合）、通常動作モードに戻り（図４ステップＳ３１）、携帯電話機Ａはタイムアウトすると（図３ステップＳ１７）、エラー表示し（図３ステップＳ１８）、通常動作モードに戻る（図３ステップＳ１９）。
【００２８】
携帯電話機Ｂは、データの送信を承認した場合（Ｙｅｓを選択した場合）、送信コマンド（ｖＣａｒｄ）を携帯電話機Ａに送信し（図１のａ３）、携帯電話機Ｂから携帯電話機Ａへのデータ通信が始まる（図４ステップＳ２９）。
【００２９】
携帯電話機Ｂから携帯電話機Ａへのデータ通信が終了すると（図３ステップＳ９、図４ステップＳ３０）、携帯電話機Ａ及び携帯電話機Ｂはともに通常動作モードに戻る（図３ステップＳ１０、図４ステップＳ３１）。
【００３０】
尚、携帯電話機Ａ及び携帯電話機Ｂは、データ送信時に相手側が受信せずにタイムアウトすると（図３ステップＳ１１、図４ステップＳ３８）、エラー表示し（図３ステップＳ１２、図４ステップＳ３９）、通常動作モードに戻る（図３ステップＳ１３、図４ステップＳ４０）。
【００３１】
また、携帯電話機Ａは、リクエストコマンドの送信時に相手側が受信せずにタイムアウトすると（図３ステップＳ１４）、エラー表示し（図３ステップＳ１５）、通常動作モードに戻る（図３ステップＳ１６）。同様に、携帯電話機Ｂは、リクエストコマンドの受信時に相手側から送信されずにタイムアウトすると（図４ステップＳ３５）、エラー表示し（図４ステップＳ３６）、通常動作モードに戻る（図４ステップＳ３７）。
【００３２】
赤外線でアドレスを交換する際に、本発明に関連するデータ交換システムでは送信する側、受信する側の両方で操作を行わなくてはならず、二回の操作が必要である。
【００３３】
しかしながら、本実施の形態では、データ交換モードの端末からデータ受信モードの端末に対してデータを送信した後にリクエストコマンドを送信して、データ受信モードの端末からデータを送信させることで、図５に示すように、赤外線によるアドレスの送受信を一回の操作で行うことができる。
【００３４】
上記のように、本発明では、例えば、アドレスを交換する時、初めに送信する側の携帯端末装置Ａが赤外線交換を選択し、受信する側の携帯端末装置Ｂが受信を設定し、携帯端末装置Ａからのアドレスの送信が終わると、携帯端末装置Ｂが受信モードのまま待機し（例えば、受信終了してから３秒待機というように設定可能）、携帯端末装置Ａから携帯端末装置Ｂにリクエストコマンドを送ることで、そのコマンドを受けた携帯端末装置Ｂが送信モードに切替わり、受信モードに変わった携帯端末装置Ａにアドレスを送信する。これによって、本発明では、赤外線でデータのやり取りをする時に、データの送信と受信とを一回の作業（操作）で行うことができる。
【００３５】
尚、本発明としては、
（１）両方の端末を交換モードにして、送信と受信を初めにどちらから始めるかという選択を行ってデータ通信を行う方法
（２）本発明に関連する技術の如く、送信モード、受信モードを選択して、その選択項目中で互いに交換モードを選択してデータ通信を行う方法
（３）最初の送信コマンドにリクエストするパラメータを含んでおくことによって、リクエストコマンドを送らなくても円滑にデータの交換を行う方法
（４）両者のデータ交換が終わった時に各自登録しておいた一言メッセージ（例えば、「よろしくね」等）が両者それぞれに送信される方法
（５）リクエストコマンドに対してＹｅｓと答えた時にランクＡだったら電話番号、メールアドレス、住所、生年月日等の情報を全て送り、ランクＤだったら電話番号だけといったようにランクによって情報の提供度合を変える方法
という方法を用いることができる。
【００３６】
また、交換モードの項目は、送信モードや受信モードのいずれかにおける設定のメニュー中に表示しても、送信モードや受信モードを選択するためのメニュー中に表示してもよい。
【産業上の利用可能性】
【００３７】
本発明は、赤外線やＢｌｕｅｔｏｏｔｈ（登録商標）等の近距離通信技術を用いたデータ交換が可能なデータ通信機能を持つ携帯電話機やＰＤＡ（Ｐｅｒｓｏｎａｌ  Ｄｉｇｉｔａｌ  Ａｓｓｉｓｔａｎｔ）等の携帯端末装置に適用可能である。
【図面の簡単な説明】
【００３８】
【図１】本発明の実施の形態によるデータ交換システムでの送受信の仕組みを示す図である。
【図２】本発明の実施の形態による携帯電話機の構成例を示すブロック図である。
【図３】本発明の実施の形態による送信側の携帯電話機の送受信動作を示すフローチャートである。
【図４】本発明の実施の形態による受信側の携帯電話機の送受信動作を示すフローチャートである。
【図５】本発明の実施の形態によるデータ交換システムでの送受信の動作を示すシーケンスチャートである。
【図６】本発明に関連するデータ交換システムでの送受信の動作を示すシーケンスチャートである。
【符号の説明】
【００３９】
１  携帯電話機
１１  制御部
１２  無線通信部
１３  メモリ
１４  赤外線通信部
１４ａ  送信部
１４ｂ  受信部
１５  表示部
１６  入力部
【図１】
0005018393.tif 000002
【図２】
0005018393.tif 000003
【図３】
0005018393.tif 000004
【図４】
0005018393.tif 000005
【図５】
0005018393.tif 000006
【図６】
0005018393.tif 000007